(57)【要約】【課題】移動する部材を使用して電子機器を搭載する際の労力を軽減する。【解決手段】ネットワーク機器１０を搭載するラックマウントブラケット２と、ラックマウントブラケット２と接しながら所定方向に移動でき、ネットワーク機器１０がラックマウントブラケット２に搭載されているときにネットワーク機器１０とラックマウントブラケット２との間に配置されるトレー４とを備えた搭載用構造体であって、トレー４は、ネットワーク機器１０が所定方向に移動する際にネットワーク機器１０の脚部１０ａに接触し、ネットワーク機器１０がトレー４を通過することを防止する通過防止部４ｃを有する。しかも、トレー４が所定方向とは逆方向に移動しきったときに、固定部４ｅと一体となった逆移動防止部がラックマウントブラケット２よりも下に位置する。【選択図】図６
2008085191.tif 000002
【特許請求の範囲】
【請求項１】
搭載対象機器を搭載する搭載用部材と、
前記搭載用部材と接しながら所定方向に移動でき、前記搭載対象機器が前記搭載用部材に搭載されているときに前記搭載対象機器と前記搭載用部材との間に配置される移動部材と、
を備え、
前記移動部材は、
前記搭載対象機器が前記所定方向に移動する際に前記搭載対象機器に接触し、前記搭載対象機器が前記移動部材を通過することを防止する通過防止部を有する、
搭載用構造体。
【請求項２】
請求項１に記載の搭載用構造体であって、
前記搭載用部材が、
前記搭載対象機器を支持する支持面を有し、
前記移動部材が、
前記支持面と対向する対向面を有する、
搭載用構造体。
【請求項３】
請求項２に記載の搭載用構造体であって、
前記移動部材が、
前記対向面よりも高く、前記搭載対象機器が前記搭載用部材に搭載されているときに前記搭載対象機器の前記所定方向とは逆方向への移動を防止する逆移動防止部とを有し、
前記移動部材が前記逆方向に移動しきったときに、前記逆移動防止部が前記支持面よりも下に位置する、
搭載用構造体。
【請求項４】
請求項３に記載の搭載用構造体であって、
前記逆移動防止部が前記搭載用部材に固定される、
搭載用構造体。
【請求項５】
請求項３に記載の搭載用構造体であって、
前記移動部材が、前記所定方向に伸びる開口を有し、
前記搭載用部材に取り付けられ、前記開口を貫通する軸部と、
前記開口の幅よりも大きい幅を有し、前記軸部に、前記移動部材よりも上方に取り付けられた頭部と、
を備え、
前記頭部と前記搭載用部材との間に、隙間がある、
搭載用構造体。
【請求項６】
請求項５に記載の搭載用構造体であって、
前記軸部に取り付けられ、前記軸部を中心に回転する回転部、
を備えた搭載用構造体。
【請求項７】
請求項１ないし６のいずれか一項に記載の搭載用構造体であって、
前記通過防止部が、前記対向面の厚みを増した部分である、
搭載用構造体。
【請求項８】
請求項１ないし６のいずれか一項に記載の搭載用構造体であって、
前記移動部材が、
前記対向面から前記支持面に向かって突出した突出部を有する、
搭載用構造体。
【請求項９】
請求項８に記載の搭載用構造体であって、
前記突出部は、前記所定方向に沿って伸びる直線状である、
搭載用構造体。
【請求項１０】
請求項８に記載の搭載用構造体であって、
前記突出部が、
前記移動部材が前記逆方向に移動しきったときと、前記支持面に支持されている第一突出部分と、
前記移動部材が前記逆方向に移動しきったときに、前記支持面に支持されない第二突出部分と、
を有し、
前記第一突出部分および前記第二突出部分は、前記移動部材が前記所定方向に移動しきったときに前記支持面に支持されている、
搭載用構造体。
【請求項１１】
請求項１ないし６のいずれか一項に記載の搭載用構造体であって、
前記通過防止部が、前記対向面から上部に突出した部分である、
搭載用構造体。
【請求項１２】
請求項１ないし１１のいずれか一項に記載の搭載用構造体であって、
前記通過防止部が前記搭載対象機器の脚部に接触する、
搭載用構造体。
【請求項１３】
請求項１ないし１２のいずれか一項に記載の搭載用構造体を構成する搭載用部材。
【請求項１４】
請求項１ないし１２のいずれか一項に記載の搭載用構造体を構成する移動部材。
【発明の詳細な説明】
【技術分野】
【０００１】
本発明はラックに電子機器を収納するための構造に関する。
【背景技術】
【０００２】
従来より、スライドプレートに電子機器を載せ、電子機器をスライドプレートにバンドで固定し、スライドプレートごと電子機器を棚に搭載する構造が知られている（例えば、特許文献１を参照）。
【０００３】
【特許文献１】特開平８−２６４９７９号公報
【発明の開示】
【発明が解決しようとする課題】
【０００４】
しかしながら、上記の従来技術によれば、電子機器をスライドプレートのような移動する部材にバンドで固定しなればならないので、作業に手間がかかる。
【０００５】
そこで、本発明は、移動する部材を使用して電子機器を搭載する際の労力の軽減を課題とする。
【課題を解決するための手段】
【０００６】
本発明にかかる搭載用構造体は、搭載対象機器を搭載する搭載用部材と、前記搭載用部材と接しながら所定方向に移動でき、前記搭載対象機器が前記搭載用部材に搭載されているときに前記搭載対象機器と前記搭載用部材との間に配置される移動部材と、を備え、前記移動部材は、前記搭載対象機器が前記所定方向に移動する際に前記搭載対象機器に接触し、前記搭載対象機器が前記移動部材を通過することを防止する通過防止部を有するように構成される。
【０００７】
上記のように構成された搭載用構造体によれば、搭載用部材が、搭載対象機器を搭載する。移動部材が、前記搭載用部材と接しながら所定方向に移動でき、前記搭載対象機器が前記搭載用部材に搭載されているときに前記搭載対象機器と前記搭載用部材との間に配置される。しかも、前記移動部材が、前記搭載対象機器が前記所定方向に移動する際に前記搭載対象機器に接触し、前記搭載対象機器が前記移動部材を通過することを防止する通過防止部を有する。
【０００８】
また、本発明にかかる搭載用構造体は、前記搭載用部材が前記搭載対象機器を支持する支持面を有し、前記移動部材が前記支持面と対向する対向面を有するようにしてもよい。
【０００９】
また、本発明にかかる搭載用構造体は、前記移動部材が、前記対向面よりも高く、前記搭載対象機器が前記搭載用部材に搭載されているときに前記搭載対象機器の前記所定方向とは逆方向への移動を防止する逆移動防止部とを有し、前記移動部材が前記逆方向に移動しきったときに、前記逆移動防止部が前記支持面よりも下に位置するようにしてもよい。
【００１０】
また、本発明にかかる搭載用構造体は、前記逆移動防止部が前記搭載用部材に固定されるようにしてもよい。
【００１１】
また、本発明にかかる搭載用構造体は、前記移動部材が、前記所定方向に伸びる開口を有し、前記搭載用部材に取り付けられ、前記開口を貫通する軸部と、前記開口の幅よりも大きい幅を有し、前記軸部に、前記移動部材よりも上方に取り付けられた頭部と、を備え、前記頭部と前記搭載用部材との間に、隙間があるようにしてもよい。
【００１２】
また、本発明にかかる搭載用構造体は、前記軸部に取り付けられ、前記軸部を中心に回転する回転部を備えるようにしてもよい。
【００１３】
また、本発明にかかる搭載用構造体は、前記通過防止部が、前記対向面の厚みを増した部分であるようにしてもよい。
【００１４】
また、本発明にかかる搭載用構造体は、前記移動部材が、前記対向面から前記支持面に向かって突出した突出部を有するようにしてもよい。
【００１５】
また、本発明にかかる搭載用構造体は、前記突出部が、前記所定方向に沿って伸びる直線状であるようにしてもよい。
【００１６】
また、本発明にかかる搭載用構造体は、前記突出部が、前記移動部材が前記逆方向に移動しきったときと、前記支持面に支持されている第一突出部分と、前記移動部材が前記逆方向に移動しきったときに、前記支持面に支持されない第二突出部分と、を有し、前記第一突出部分および前記第二突出部分は、前記移動部材が前記所定方向に移動しきったときに前記支持面に支持されているようにしてもよい。
【００１７】
また、本発明にかかる搭載用構造体は、前記通過防止部が、前記対向面から上部に突出した部分であるようにしてもよい。
【００１８】
また、本発明にかかる搭載用構造体は、前記通過防止部が前記搭載対象機器の脚部に接触するようにしてもよい。
【００１９】
本発明にかかる搭載用部材は、本発明にかかる搭載用構造体を構成する。
【００２０】
本発明にかかる移動部材は、本発明にかかる搭載用構造体を構成する。
【発明を実施するための最良の形態】
【００２１】
以下、本発明の実施形態を図面を参照しながら説明する。
【００２２】
図１は、本発明の実施形態にかかる搭載用構造体の斜視図である。図２は、本発明の実施形態にかかる搭載用構造体の平面図である。搭載用構造体は、ラックマウントブラケット（搭載用部材）２、トレー（移動部材）４、カバー８を備える。ただし、図２おいては、図示の便宜上、カバー８を図示省略している。
【００２３】
ラックマウントブラケット（搭載用部材）２は、ネットワーク機器（搭載対象機器）１０を搭載する（図７、図１８参照）。具体的には、ラックマウントブラケット２は支持面２ａを有し、支持面２ａがネットワーク機器１０を支持する。支持面２ａにネットワーク機器１０が載せられるので、ラックマウントブラケット２がネットワーク機器１０を搭載するといえる。
【００２４】
トレー（移動部材）４は、ラックマウントブラケット２と接しながら所定方向（図２参照）および所定方向とは逆方向（以下、単に「逆方向」という）に移動できる。なお、所定方向は、図２の例でいえば、ラックマウントブラケット２の手前から奥へ向かう方向である。逆方向は、図２の例でいえば、ラックマウントブラケット２の奥から手前へ向かう方向である。また、トレー４は、ネットワーク機器１０がラックマウントブラケット２に搭載されているときに、ネットワーク機器１０とラックマウントブラケット２との間に配置される（図７、図１８参照）。
【００２５】
また、トレー４は、対向面４ａ、スリット４ｂ、通過防止部４ｃ、逆移動防止部４ｄ、固定部４ｅを有する。
【００２６】
対向面４ａは、支持面２ａと対向する面である。スリット（開口）４ｂは、先に説明した所定方向（図２参照）に伸びる開口である。なお、スリット４ｂは、頭部６ｂの下にある軸部６ａ（図５（ｂ）参照）により貫通されている。スリット４ｂとラックマウントブラケット２に取り付けられた軸部６ａとが協働して、トレー４が所定方向に移動できる。また、本実施形態では、スリット４ｂはトレー４のやや左寄りおよびやや右寄りに２本設けられているが、１本以上設けられていればよい。なお、図１および図２においては、図示の便宜上、頭部６ｂの幅とスリット４ｂの幅とがほぼ等しいように図示している。しかし、実際は、頭部６ｂの幅はスリット４ｂの幅よりも広い。
【００２７】
トレー４の左右の両辺の部分は切り欠きになっており、切り欠きの長さはほぼスリット４ｂの全長に等しい。通過防止部４ｃは、切り欠きのなかでも最も奥（所定方向側）に設けられている。
【００２８】
通過防止部４ｃは、ネットワーク機器１０が所定方向に移動する際（図６（ａ）、図６（ｂ）参照）にネットワーク機器１０の脚部１０ａに接触する。これにより、ネットワーク機器１０がトレー４に乗り上げ、さらにトレー４を通過してしまうことを防止する。なお、ネットワーク機器１０の脚部１０ｂは脚部１０ａよりも逆方向側に配置されている。また、本発明の実施形態においては、脚部１０ａが通過防止部４ｃに接触することとしている。しかし、ネットワーク機器１０の他の部分が通過防止部４ｃに接触するようにしてもよい。
【００２９】
逆移動防止部４ｄは、対向面４ａよりも高い。すなわち、逆移動防止部４ｄの高さが、対向面４ａの高さよりも高い。これにより、ネットワーク機器１０がラックマウントブラケット２に搭載されているときに、ネットワーク機器１０の前面に当たる（図７、図１８参照）。これにより、ネットワーク機器１０の逆方向への移動を防止する。
【００３０】
固定部４ｅは、逆移動防止部４ｄの両端に一体となって形成され、逆移動防止部４ｄよりも高さが高くなっている。固定部４ｅをネジ９が貫通し、ネットワーク機器１０がラックマウントブラケット２に搭載されているときに、ラックマウントブラケット２にネジ止めされる（図７、図１８参照）。これにより、逆移動防止部４ｄがラックマウントブラケット２に固定される。
【００３１】
カバー８は、ネットワーク機器１０の上部を覆うカバーである。カバー８は、ネットワーク機器１０の上部への移動を防止する。図１９は、カバー８を背面から見た斜視図である。カバー８には曲げ８ａが設けられており、ネットワーク機器１０の所定方向への移動を防止する。
【００３２】
図３は、搭載用構造体をラック支柱１に取り付ける際の状態を示す斜視図である。搭載用構造体のラックマウントブラケット２を、ネジ７により、ラック支柱１に固定することができる。なお、ラック支柱１は図示省略した周知のラックの筐体の支柱である。
【００３３】
次に、本発明の実施形態の動作を説明する。
【００３４】
図４は、図１のＡ−Ａ断面図である。トレー４は、所定方向に移動しきっており（これ以上は、所定方向に移動しない）、ラックマウントブラケット２の支持面２ａにより支持されている。この状態のトレー４を、（例えば、ネジ９をつまんで）逆方向に引き出す。
【００３５】
図５（ａ）は、図４に示す状態からトレー４を逆方向に引き出しきったとき（これ以上は、逆方向に移動しない）のＡ−Ａ断面図である。図５（ｂ）は、図５（ａ）に示す状態における頭部６ｂ付近（部分Ｂ）の部分拡大図である。なお、図１６は、図５（ａ）に示すトレー４の正面図である。また、図２の右側のトレー４が、図５（ａ）に示すトレー４の平面図に相当する。
【００３６】
図５（ｂ）を参照して、軸部６ａは、ラックマウントブラケット２に取り付けられ、スリット４ｂを貫通する。頭部６ｂは、スリット４ｂの幅よりも大きい幅を有する。しかも、頭部６ｂは、軸部６ａに、トレー４よりも上方に取り付けられている。図５（ｂ）の例では、頭部６ｂは、軸部６ａの最上部に取り付けられている。頭部６ｂは、例えば、軸部６ａにねじこまれるネジの頭部である。さらに、頭部６ｂとラックマウントブラケット２との間に、隙間がある。
【００３７】
トレー４を逆方向に引き出しきると、トレー４の重心が支持面２ａにより支持されなくなる。このとき、逆移動防止部４ｄおよび固定部４ｅが下に向かおうとする。逆に、頭部６ｂ付近のトレー４の部分は上に向かおうとする。すなわち、トレー４が傾こうとする。ここで、頭部６ｂとラックマウントブラケット２との間に隙間あるので、トレー４が頭部６ｂに衝突するまで、頭部６ｂ付近のトレー４の部分が上に向かう。なお、頭部６ｂの幅は、スリット４ｂの幅よりも大きいため、頭部６ｂ付近のトレー４の部分が頭部６ｂを通り越して、スリット４ｂが軸部６ａから外れることはない。
【００３８】
ここで、頭部６ｂとラックマウントブラケット２との間の隙間は、トレー４が逆方向に移動しきったときに、逆移動防止部４ｄが支持面２ａよりも下に位置するように設計されている。
【００３９】
この状態で、ネットワーク機器１０を所定方向に移動させ、ラックマウントブラケット２に搭載する。
【００４０】
図６（ａ）は、図５（ａ）に示す状態からネットワーク機器１０を所定方向に移動させたときのＡ−Ａ断面図である。なお、図１７は、図６（ａ）に示すトレー４の正面図である。また、図６（ｂ）は、図６（ａ）に示す状態における通過防止部４ｃ付近（部分Ｃ）の部分拡大図である。
【００４１】
ネットワーク機器１０の脚部１０ａ、１０ｂが支持面２ａと同じ高さになるようにして、ネットワーク機器１０を所定方向に移動させる。このとき、逆移動防止部４ｄが支持面２ａよりも下に位置しているため、ネットワーク機器１０の進行の妨げにならない。ネットワーク機器１０が進行し、脚部１０ａが通過防止部４ｃに接触した状態が、図６（ａ）、図６（ｂ）、図１７に図示されている。ただし、図１７において、脚部１０ａは脚部１０ｂにより隠されて見えない。
【００４２】
通過防止部４ｃは、対向面４ａを曲げて折り返し、対向面４ａの厚みを増した部分である。通過防止部４ｃが厚くなっているため、脚部１０ａは対向面４ａに乗り上げない。脚部１０ａは対向面４ａに乗り上げると、ネットワーク機器１０がトレー４を通過してしまうことも考えられる。しかし、脚部１０ａが対向面４ａに乗り上げないので、ネットワーク機器１０がトレー４を通過してしまうことは防止される。
【００４３】
脚部１０ａは対向面４ａに乗り上げないので、脚部１０ａは通過防止部４ｃを所定方向に押すことになる。すると、トレー４は所定方向に移動する。また、トレー４は所定方向に移動するとともに、逆移動防止部４ｄおよび固定部４ｅが上に向かう。
【００４４】
図７は、図６（ａ）に示す状態からネットワーク機器１０を所定方向に移動させきったとき（ネットワーク機器１０がラックマウントブラケット２に搭載されているとき）のＡ−Ａ断面図である。なお、図１８は、図７に示すトレー４の正面図である。
【００４５】
ネットワーク機器１０を所定方向に移動させきると、トレー４も所定方向に移動しきっており、図４の状態に戻る。この状態で、ネジ９により、固定部４ｅをラックマウントブラケット２にネジ止めする。よって、固定部４ｅと一体となった逆移動防止部４ｄもまた、ラックマウントブラケット２に固定される。
【００４６】
この状態で、ネットワーク機器１０を前方（逆方向）に移動させようとしても、逆移動防止部４ｄによりそのような移動が防止される。
【００４７】
図８は、ネットワーク機器１０を引き出したときのＡ−Ａ断面図である。ネジ９をラックマウントブラケット２から外し、さらに、ネジ９をつまんで、トレー４を逆方向に引き出す。このとき、通過防止部４ｃが脚部１０ａを逆方向に押すため、ネットワーク機器１０が逆方向に押される。よって、ネットワーク機器１０を搭載用構造体から外すことができる。
【００４８】
本発明の実施形態によれば、トレー４を使用してネットワーク機器１０をラックマウントブラケット２に搭載する際の労力の軽減を図ることができる。
【００４９】
すなわち、ネットワーク機器１０を所定方向に移動させると、トレー４の通過防止部４ｃがネットワーク機器１０の脚部１０ａに接触する（図６（ａ）、図６（ｂ）参照）。通過防止部４ｃは、対向面４ａを曲げて折り返し、対向面４ａの厚みを増した部分である。よって、脚部１０ａが対向面４ａに乗り上げず、ネットワーク機器１０がトレー４を通過してしまうことは防止される。そこで、脚部１０ａは通過防止部４ｃを所定方向に押すことになる。すると、トレー４は所定方向に移動する。また、トレー４は所定方向に移動するとともに、逆移動防止部４ｄおよび固定部４ｅが上に向かう。ネットワーク機器１０を所定方向に移動させきると、ネットワーク機器１０がラックマウントブラケット２に搭載される（図７、図１８参照）。このとき、トレー４は、ネットワーク機器１０とラックマウントブラケット２との間に配置されている。
【００５０】
このように、ネットワーク機器１０をラックマウントブラケット２に搭載する前に、ネットワーク機器１０をトレー４にバンドなどで固定する固定作業が不要である。よって、かかる固定作業を不要とすることにより、労力の軽減を図ることができる。
【００５１】
また、ネットワーク機器１０がラックマウントブラケット２に搭載されたとき（図７、図１８参照）、逆移動防止部４ｄが、固定部４ｅを介して、ラックマウントブラケット２にネジ止めされる。これにより、ネットワーク機器１０が前方（逆方向）に移動することを防止できる。
【００５２】
しかも、ネットワーク機器１０を所定方向に移動させる前に、トレー４を逆方向に引き出しきる（図５（ａ）、図１６参照）。このとき、頭部６ｂとラックマウントブラケット２との間に隙間が設けられているため、トレー４が傾き、逆移動防止部４ｄが支持面２ａよりも下に位置するようになる。この状態で、ネットワーク機器１０を所定方向に移動させるため（図７、図１７参照）、逆移動防止部４ｄがネットワーク機器１０にぶつからず、ネットワーク機器１０を所定方向に移動させやすい。
【００５３】
なお、本発明の実施形態にかかる搭載用構造体には、以下のような色々な変形例が考えられる。
【００５４】
図９は、軸部６ａにカラー（回転部）６ｃを取り付けた変形例の軸部６ａ付近を示す平面図である。ただし、頭部６ｂは図示省略している。カラー６ｃは、軸部６ａに取り付けられ、軸部６ａを中心に回転する。カラー６ｃは回転するので、変形例におけるカラー６ｃとスリット４ｂとの間に働く摩擦力が、本発明の実施形態における軸部６ａとスリット４ｂとの間に働く摩擦力よりも小さくなる。よって、トレー４の所定方向および逆方向への移動が容易となる。
【００５５】
通過防止部４ｃが、対向面４ａの厚みを増した部分であるかわりに、トレー４が対向面４ａから支持面２ａに向かって突出した突出部４ｆを有するようにしてもよい。
【００５６】
図１０は、突出部４ｆを有する変形例におけるトレー４を裏から見たときの斜視図である。図１１は、図１０に示すトレー４のＤ−Ｄ断面図である。ただし、左半分は図示省略してある。図１２は、図１０に示すトレー４を表から見たときの斜視図である。図１３は、図１０に示すトレー４の通過防止部４ｃ付近の拡大図（ただし、脚部１０ａが通過防止部４ｃに接触した状態）である。なお、ここでいう「表から見る」とは、図１のような視点から見るということである。よって、突出部４ｆを有する変形例におけるトレー４をラックマウントブラケット２に取り付けて、図１のような視点から見ると、図１２に示すように見えるということである。
【００５７】
突出部４ｆは、所定方向に沿って伸びる直線状である。また、図１１を参照して、突出部４ｆは、支持面２ａに向かって（図１１においては上方に）突出している。
【００５８】
図１３を参照して、突出部４ｆにより通過防止部４ｃが高くなっているので、通過防止部４ｃの厚みを増していなくても、脚部１０ａが対向面４ａに乗り上げない。また、突出部４ｆが直線状に突出するため、トレー４と支持面２ａとが線接触となり、摩擦が軽減され、トレー４の所定方向および逆方向への移動が容易となる。
【００５９】
さらに、突出部４ｆのかわりに、第一突出部分４ｇ、第二突出部分４ｈをトレー４に設けるようにしてもよい。図１４は、第一突出部分４ｇ、第二突出部分４ｈを有する変形例におけるトレー４を表から見たときの斜視図である。図１５は、図１４に示すトレー４のＥ−Ｅ断面図である。
【００６０】
第一突出部分４ｇはトレー４の所定方向側に左右に配置され、第二突出部分４ｈはトレー４の逆方向側に左右に配置されている。なお、第一突出部分４ｇおよび第二突出部分４ｈを上から見た形状は円形である。
【００６１】
第一突出部分４ｇは、トレー４が逆方向に移動しきったときに（図２の右側のトレー４参照）、支持面２ａに支持されている。第二突出部分４ｈは、トレー４が逆方向に移動しきったときに（図２の右側のトレー４参照）、支持面２ａに支持されない。ただし、第一突出部分４ｇおよび第二突出部分４ｈは、トレー４が所定方向に移動しきったとき（図２の左側のトレー４参照）に支持面２ａに支持されている。
【００６２】
第一突出部分４ｇにより通過防止部４ｃが高くなるので、通過防止部４ｃの厚みを増していなくても、脚部１０ａが対向面４ａに乗り上げない。また、第一突出部分４ｇおよび第二突出部分４ｈにより、トレー４と支持面２ａとが点接触となり、摩擦が軽減され、トレー４の所定方向および逆方向への移動が容易となる。
【００６３】
通過防止部４ｃが、対向面４ａの厚みを増した部分であるかわりに、上部に突出した部分であってもよい。図２０は、通過防止部４ｃが上部に突出した部分である変形例におけるトレー４を表から見たときの斜視図（図２０（ａ））、ラックマウントブラケット２に取り付けた状態における通過防止部４ｃ付近の部分拡大図（図２０（ｂ））である。
【００６４】
対向面４ａ、スリット４ｂ、逆移動防止部４ｄおよび固定部４ｅは、上記と同様であるので説明を省略する。通過防止部４ｃは、トレー４から上部に突出している。通過防止部４ｃは、例えば、トレー４の奥をほぼ９０度折り曲げることで生成できる。ただし、トレー４の奥を折り曲げる角度は９０度に限定されない。図２０（ｂ）を参照して、ネットワーク機器１０を所定方向に移動させると、ネットワーク機器１０の下の角が通過防止部４ｃに衝突する。これにより、ネットワーク機器１０がトレー４を通過してしまうことが防止される。
【００６５】
また、カバー８の形状も図１および図３に示すような形状に限定されない。図２１は、カバー８の形状の変形例を示す斜視図である。曲げ８ｂは、ネットワーク機器１０の所定方向への移動を防止する。曲げ８ｃは、ネットワーク機器１０の上部にかぶさり、ネットワーク機器１０が上部へ移動することを防止する。
【図面の簡単な説明】
【００６６】
【図１】本発明の実施形態にかかる搭載用構造体の斜視図である。
【図２】本発明の実施形態にかかる搭載用構造体の平面図である。
【図３】搭載用構造体をラック支柱１に取り付ける際の状態を示す斜視図である。
【図４】図１のＡ−Ａ断面図である。
【図５】図４に示す状態からトレー４を逆方向に引き出しきったとき（これ以上は、逆方向に移動しない）のＡ−Ａ断面図（図５（ａ））、図５（ａ）に示す状態における頭部６ｂ付近（部分Ｂ）の部分拡大図（図５（ｂ））である。
【図６】図５（ａ）に示す状態からネットワーク機器１０を所定方向に移動させたときのＡ−Ａ断面図（図６（ａ））、図６（ａ）に示す状態における通過防止部４ｃ付近（部分Ｃ）の部分拡大図（図６（ｂ））である。
【図７】図６（ａ）に示す状態からネットワーク機器１０を所定方向に移動させきったとき（ネットワーク機器１０がラックマウントブラケット２に搭載されているとき）のＡ−Ａ断面図である。
【図８】ネットワーク機器１０を引き出したときのＡ−Ａ断面図である。
【図９】軸部６ａにカラー（回転部）６ｃを取り付けた変形例の軸部６ａ付近を示す平面図である。
【図１０】突出部４ｆを有する変形例におけるトレー４を裏から見たときの斜視図である。
【図１１】図１０に示すトレー４のＤ−Ｄ断面図である。
【図１２】図１０に示すトレー４を表から見たときの斜視図である。
【図１３】図１０に示すトレー４の通過防止部４ｃ付近の拡大図（ただし、脚部１０ａが通過防止部４ｃに接触した状態）である。
【図１４】第一突出部分４ｇ、第二突出部分４ｈを有する変形例におけるトレー４を表から見たときの斜視図である。
【図１５】図１４に示すトレー４のＥ−Ｅ断面図である。
【図１６】図５（ａ）に示すトレー４の正面図である。
【図１７】図６（ａ）に示すトレー４の正面図である。
【図１８】図７に示すトレー４の正面図である。
【図１９】カバー８を背面から見た斜視図である。
【図２０】通過防止部４ｃが上部に突出した部分である変形例におけるトレー４を表から見たときの斜視図（図２０（ａ））、ラックマウントブラケット２に取り付けた状態における通過防止部４ｃ付近の部分拡大図（図２０（ｂ））である。
【図２１】カバー８の形状の変形例を示す斜視図である。
【符号の説明】
【００６７】
２  ラックマウントブラケット（搭載用部材）
２ａ  支持面
４  トレー（移動部材）
４ａ  対向面
４ｂ  スリット
４ｃ  通過防止部
４ｄ  逆移動防止部
４ｅ  固定部
４ｆ  突出部
４ｇ  第一突出部分
４ｈ  第二突出部分
６ａ  軸部
６ｂ  頭部
６ｃ  カラー（回転部）
１０  ネットワーク機器（搭載対象機器）
１０ａ、１０ｂ  脚部
【図１】
2008085191.tif 000003
【図２】
2008085191.tif 000004
【図３】
2008085191.tif 000005
【図４】
2008085191.tif 000006
【図５】
2008085191.tif 000007
【図６】
2008085191.tif 000008
【図７】
2008085191.tif 000009
【図８】
2008085191.tif 000010
【図９】
2008085191.tif 000011
【図１０】
2008085191.tif 000012
【図１１】
2008085191.tif 000013
【図１２】
2008085191.tif 000014
【図１３】
2008085191.tif 000015
【図１４】
2008085191.tif 000016
【図１５】
2008085191.tif 000017
【図１６】
2008085191.tif 000018
【図１７】
2008085191.tif 000019
【図１８】
2008085191.tif 000020
【図１９】
2008085191.tif 000021
【図２０】
2008085191.tif 000022
【図２１】
2008085191.tif 000023